(57)【特許請求の範囲】
【請求項１】
全体形状が輪状をなし外方へ向けて突出する複数の磁極(10)を有し、前記各磁極(10)の外側に輪状ロータ(5)が配設されるようにしたステータ鉄心(1)からなるアウターロータレゾルバ用ステータ構造において、
前記ステータ鉄心(1)の内壁(1a)に形成された凹部(11)と、前記ステータ鉄心(1)の外周縁部(12)に前記ステータ鉄心(1)と一体に成形され前記各磁極(10)を覆う樹脂成形部(13)と、前記樹脂成形部(13)と一体成形され前記凹部(11)内に位置する端子ピン保持部(14)と、前記端子ピン保持部(14)に設けられた複数の端子ピン(15)とを備え、前記端子ピン保持部(14)の保持内面(14a)は、円弧状に形成されると共に前記ステータ鉄心(1)の内壁(1a)と同一円周上でかつ面一となり、前記各磁極(10)に自動巻線機を介して巻付けられたステータコイル(2)の端線はリード線を用いることなく前記各端子ピン(15)に接続されていることを特徴とするアウターロータレゾルバ用ステータ構造。
【発明の詳細な説明】
【技術分野】
【０００１】
本発明は、アウターロータレゾルバ用ステータ構造に関し、特に、ステータ鉄心の内壁に切り欠け状の部を形成し、ステータ鉄心の外周縁に一体に成形した樹脂成形部を前記凹部に端子保持部として延設することにより、リード線を不要とし、自動巻き線及び自動からげを可能とするための新規な改良に関する。
【背景技術】
【０００２】
従来、用いられていたこの種のアウターロータレゾルバ用ステータ構造としては、例えば、特許文献１に示されるインナーロータレゾルバ用ステータ構造を応用して図３で示される構成が採用されていた。
すなわち、図３において符号１で示されるものは、輪状ステータ鉄心であり、このステータ鉄心１の両面には、図示しない一対の輪状絶縁カバーを介して各スロット(図示せず)にステータコイル２が巻付けられている。
【０００３】
前記ステータコイル２の端線は、端末処理部３に導かれ、リード線４によって外部へ導出されるように構成されている。
前記ステータ鉄心１の外周位置には、周知のバリアブルリラクタンス(VR)型の輪状ロータ５が回転可能に配設されている。
【０００４】
【特許文献１】米国特許第６，０２８，３８３号明細書
【発明の開示】
【発明が解決しようとする課題】
【０００５】
従来のアウターロータレゾルバ用ステータ構造は、以上のように構成されていたため、次のような課題が存在していた。
すなわち、ステータ鉄心の両面に別体で形成された一対の輪状絶縁カバーを介して各スロットにステータコイルを巻付け、このステータコイルの端線の端末処理は、各端線が端末処理部に集められ、人手を介してリード線に接続しなければならず、レゾルバの組立てが人手に頼る部分が多く、自動組立てに対する大きい障害となっていた。
また、ステータ鉄心の内径はレゾルバを取付ける面となるため、この内径側には端子を取付けるためのスペースが全く形成されていなかった。
【課題を解決するための手段】
【０００６】
本発明による、アウターロータレゾルバ用ステータ構造は、全体形状が輪状をなし外方へ向けて突出する複数の磁極を有し、前記各磁極の外側に輪状ロータが配設されるようにしたステータ鉄心からなるアウターロータレゾルバ用ステータ構造において、
前記ステータ鉄心の内壁に形成された凹部と、前記ステータ鉄心の外周縁部に前記ステータ鉄心と一体に成形され前記各磁極を覆う樹脂成形部と、前記樹脂成形部と一体成形され前記凹部内に位置する端子ピン保持部と、前記端子ピン保持部に設けられた複数の端子ピンとを備え、前記端子ピン保持部の保持内面は、円弧状に形成されると共に前記ステータ鉄心の内壁と同一円周上でかつ面一となり、前記各磁極に自動巻線機を介して巻付けられたステータコイルの端線はリード線を用いることなく前記各端子ピンに接続されている構成である。
【発明の効果】
【０００７】
本発明によるアウターロータレゾルバ用ステータ構造は、以上のように構成されているため、次のような効果を得ることができる。
すなわち、ステータ鉄心の内壁に形成した凹部を有し、ステータ鉄心の外周縁に一体形成形した樹脂成形部の一部に形成される端子保持部をこの凹部内に形成しているため、この端子保持部の各端子にステータコイルの端線を自動機でからげて端末処理することができる。
また、凹部に樹脂成形部の端子保持部が一体成形で延設されているため、ステータの外周縁に形成された樹脂成形部のステータ鉄心への付着安定性も向上する。
また、ステータ鉄心に端子ピン保持部が形成されているため、従来のようなリード線を用いる必要がなく、アウターロータ型レゾルバの自動組立てを行うことができる。
【発明を実施するための最良の形態】
【０００８】
本発明は、ステータ鉄心の内壁に切り欠け状の凹部を形成し、ステータ鉄心の外周縁に一体に成形した樹脂成形部を前記凹部に端子保持部として延設することにより、リード線を不要とし、自動巻き線及び自動からげを可能としたアウターロータレゾルバ用ステータ構造を提供することを目的とする。
【実施例】
【０００９】
以下、図面と共に本発明によるアウターロータレゾルバ用ステータ構造の好適な実施の形態について説明する。
尚、従来例と同一又は同等部分には同一符号を用いて説明する。また、輪状ロータについては、図３の構成と同一であるため、図示を省略し、図３の構成を援用する。
図１において、符号１で示されるものは全体形状が輪状をなし、外方へ向けて一体に突出する複数の磁極１０を有するステータ鉄心であり、このステータ鉄心１の内壁１ａには複数（１個の場合も可）の凹部１１が所定再度間隔で形成されている。
【００１０】
前記ステータ鉄心１の外周縁部１２には、インサート成形によって樹脂成形部１３が輪状に形成され、この樹脂成形部１３の一部には端子ピン保持部１４が一体に形成され、この端子ピン保持部１４は前記凹部１１内に位置し、この凹部１１と一体となるように成形されている。
【００１１】
前記樹脂成形部１３の内側には、前記ステータ鉄心１の内周縁１ｂが外部に露出して前記樹脂成形部１３が形成されていないように構成されている。
図２は、図１のＡ部を拡大して示すもので、前記凹部１１内に成形により形成された端子ピン保持部１４には複数の端子ピン１５が一体に成形によって保持されている。
前記端子ピン保持部１４の保持内面１４ａは、円弧状に形成されると共にステータ鉄心１の内壁１ａと同一円周上でかつ面一となるように構成されている。
【００１２】
前述の構成において、実際に、各磁極１０、すなわち、各磁極１０間の各スロット２０にステータコイルを設ける場合、自動巻線機（図示せず）を介してステータコイル２を各磁極１０に巻付けるが、巻付け後のステータコイル２の端線の端末処理は、この端線を各端子ピン１５に自動的にからげて接続することにより行なわれる。
【００１３】
従って、ステータコイル２の端末処理に、従来のようなリード線を用いることがないため、全自動による巻線処理を行うことができる。
【産業上の利用可能性】
【００１４】
本発明は、レゾルバに限ることなく、アウターロータ型のモータにも適用可能である。
【図面の簡単な説明】
【００１５】
【図１】本発明によるアウターロータレゾルバ用ステータ構造を示す平面図である。
【図２】図１のＡ部の拡大図である。
【図３】従来構成の平面図である。
【符号の説明】
【００１６】
１    ステータ鉄心
１ａ    内壁
１ｂ    内周縁
２    ステータコイル
５    輪状ロータ
１０    磁極
１１    凹部
１２    外周縁部
１３    樹脂成形部
１４    端子ピン保持部
１４ａ    保持内面
１５    端子ピン
２０    スロット
【図１】
0004848497.tif 000002
【図２】
0004848497.tif 000003
【図３】
0004848497.tif 000004